(57)【特許請求の範囲】
【請求項１】
ａ）  前面の開放部から手を入れることができるようにされた背の高い備蓄・分与室を形成するように一体に組合わされた天板、床板、側板、背板からなるキャビネットと、
ｂ）  上記前面の開放部に蝶番で施錠可能に取付けられた、ドアフレームと透明窓とを有する水平方向に開閉自在の複数の扉と、
ｃ）  入力される情報に基づき、キャビネットの特定の箇所に位置する１枚または２枚以上の扉が選択的に解錠されるようにコンピュータ制御の分与器に接続された扉解錠手段と、
ｄ）  前記キャビネット内の個々の分室に対応するように取付けられた複数の電燈と、コンピュータ制御の分与器に入力される情報に基づき、取り出そうとする所望の品物が備蓄されている前記キャビネット内の特定の室内部分を照明するように特定の電燈を点燈する手段と、
を備えたことを特徴とするコンピュータ制御の備蓄・分与器。
【請求項２】
上記複数の扉がキャビネットの片側から開くように取付けられている請求項１に記載のコンピュータ制御の備蓄・分与器。
【請求項３】
キャビネットの反対側から扉を開閉する手段を備えている請求項２に記載のコンピュータ制御の備蓄・分与器。
【請求項４】
比較的小さい品物を備蓄し分与するため上下方向に小さな分室に上記室を分割する仕切を有する請求項１に記載のコンピュータ制御の備蓄・分与器。
【請求項５】
備蓄される品物の保持を補助するため上記仕切に上側に曲げられた端縁が形成されている請求項４に記載のコンピュータ制御の備蓄・分与器。
【請求項６】
備蓄される品物の保持を補助するため上記仕切の前縁が下側に曲げられている請求項４に記載のコンピュータ制御の備蓄・分与器。
【請求項７】
上記仕切の前縁が上側に曲げられ、後縁が下側に曲げられており、該仕切を180度回転させると、上記下側に曲げられた後縁が前縁に来るようにされている請求項１に記載のコンピュータ制御の備蓄・分与器。
【請求項８】
分与品をぶら下げるための移動可能な自在掛けが上記仕切の下側に設けられている請求項４に記載のコンピュータ制御の備蓄・分与器。
【請求項９】
分与品をぶら下げるための移動可能な自在掛けがキャビネットの天板直下に設けられている請求項４に記載のコンピュータ制御の備蓄・分与器。
【請求項１０】
上記仕切と仕切との間に離して設置される一対のスライド式取付具を備え、この取付具は、
ａ）  取付のための本体と、
ｂ）  キャビネットの両側板中に形成された一対の細孔中に挿入される一対の間隔を空けて突出する第１脚及び第２脚とを備え、
ｃ）  上記第１脚は、上記細孔に挿入後キャビネットの側板内側に係合する上方に湾曲する上湾部を備え、
ｄ）  上記第２脚は、上記細孔への取付具の取付けを補助する傾斜部を備え、
ｅ）  上記仕切をスライド式に支持するため上記本体の上記脚の反対側に形成される仕切を係合させる溝と、
ｆ）  備蓄される品物を露出させるためキャビネットから抜き取っている間仕切が下方に傾斜することを阻止する仕切の上面に係合する上半分に形成された上記溝の対向方向に突出する壁面と、
を備えたことを特徴とする請求項１に記載のコンピュータ制御の備蓄・分与器。
【請求項１１】
分与品を冷蔵するため室内に一時的に保持される冷蔵庫を有する請求項１に記載のコンピュータ制御の備蓄・分与器。
【請求項１２】
キャビネットを移動させるための車が備えられている請求項１に記載のコンピュータ制御の備蓄・分与器。
【請求項１３】
停電時にキャビネットの扉を解錠することができるように非常時扉開放機構を露出させて解錠することができる施錠されたカバー板によって蓋をされた非常時用パネルを有する請求項１に記載のコンピュータ制御の備蓄・分与器。
【請求項１４】
上記室内の特定の箇所に手を入れることができるように１枚または２枚以上の扉を相互に結合する手段を有する請求項１に記載のコンピュータ制御の備蓄・分与器。
【請求項１５】
上記扉の１枚または２枚以上を相互に結合する手段が、２枚または３枚以上の隣接する扉のドアフレームを貫通して挿入される細帯を有している請求項14に記載のコンピュータ制御の備蓄・分与器。
【請求項１６】
扉の解錠手段が分与器に入力された情報に基づいて特定の扉の施錠状態を選択的に解錠するため上記分与器から受信した電気パルスによって作動する電気ソレノイドを備えている請求項１に記載のコンピュータ制御の備蓄・分与器。
【請求項１７】
ａ）  前面の開放部から手を入れることができるようにされた背の高い備蓄・分与室を形成するように一体に組合わされた天板、床板、左右板、背板からなるキャビネットと、
ｂ）  上記前面の開放部に蝶番で施錠可能に取付けられ、ドアフレームと透明窓と各扉に取付られたラッチとが備えられた、水平方向に開閉自在の複数の扉と、
ｄ）  入力された情報に基づき、キャビネットの特定の箇所に位置する１枚または２枚以上の扉が選択的に解錠されるようにコンピュータ制御の分与器に接続された扉解錠手段と、
ｅ）  比較的小さい品物を備蓄するため室内を上下方向に小さい分室に分割する水平仕切と、
ｆ）  前記キャビネット内の個々の分室に対応するように取付けられた複数の電燈と、コンピュータ制御の分与器に入力される情報に基づき、取り出そうとする所望の品物が備蓄されている前記キャビネット内の特定の室内部分を照明するように特定の電燈を点燈する手段と、
を備えたことを特徴とするコンピュータ制御の備蓄・分与器。
【請求項１８】
備蓄される品物を保持することを補助するため上記仕切の前縁が上側に曲げられている請求項17に記載のコンピュータ制御の備蓄・分与器。
【請求項１９】
備蓄される品物を保持することを補助するため上記仕切の前縁が下側に曲げられている請求項17に記載のコンピュータ制御の備蓄・分与器。
【請求項２０】
備蓄される品物を保持することを補助するため上記仕切の前縁が上側に曲げられ、後縁が下側に曲げられており、該仕切を180度回転させると、上記下側に曲げられた後縁が前縁に来るようにされている請求項17に記載のコンピュータ制御の備蓄・分与器。
【請求項２１】
分与品をぶら下げるための移動可能な自在掛けが上記仕切の下側に設けられている請求項18に記載のコンピュータ制御の備蓄・分与器。
【請求項２２】
上記仕切と仕切との間に離して設置される一対のスライド式取付具を備え、この取付具は、
ａ）  取付のための本体と、
ｂ）  キャビネットの両側板内に形成された一対の細孔中に挿入される一対の間隔を空けて突出する第１脚及び第２脚とを備え、
ｃ）  上記第１脚は、上記細孔に挿入後キャビネットの側板内側に係合する上方に湾曲する上湾部を備え、
ｄ）  上記第２脚は、上記細孔への取付具の取付けを補助する傾斜部を備え、
ｅ）  上記仕切をスライド式に支持するため上記本体の上記脚の反対側に形成される仕切を係合させる溝と、
ｆ）  備蓄される品物を露出させるためキャビネットから抜き取っている間仕切が下方に傾斜することを阻止する仕切の上面に係合する上半分に形成された上記溝の対向方向に突出する壁面と、
を備えたことを特徴とする請求項17に記載のコンピュータ制御の備蓄・分与器。
【請求項２３】
分与品を冷蔵するため室内に一時的に保持される冷蔵庫を備えた請求項17に記載のコンピュータ制御の備蓄・分与器。
【請求項２４】
キャビネットを移動させるための車が備えられている請求項17に記載のコンピュータ制御の備蓄・分与器。
【請求項２５】
停電時にキャビネットの扉を解錠することができるように非常時扉開放機構を露出させて解錠することができる施錠されたカバー板によって蓋をされた非常時用パネルを有する請求項17に記載のコンピュータ制御の備蓄・分与器。
【請求項２６】
上記室内の特定の箇所に手を入れることができるように１枚または２枚以上の扉を相互に結合する手段を有する請求項17に記載のコンピュータ制御の備蓄・分与器。
【請求項２７】
上記扉の１枚または２枚以上を相互に結合する手段が、２枚または３枚以上の隣接する扉のドアフレームを貫通して挿入される細帯を有している請求項26に記載のコンピュータ制御の備蓄・分与器。
【請求項２８】
扉の解錠手段が分与器に入力された情報に基づいて特定の扉の施錠状態を選択的に解錠するため上記分与器から受信した電気パルスによって作動する電気ソレノイドを備えている請求項17に記載のコンピュータ制御の備蓄・分与器。
【請求項２９】
上記ラッチが、
ａ）  ラッチ先端と根部とを有するボルトと、
ｂ）  上記扉に取付けるためのドアフレームの壁面に取付られる上記根部と、
ｃ）  上記ボルトにスライド式に取付けられ、上記扉の外側に傾斜されるスリーブと、
ｄ）  該スリーブの動作を制限するため上記ドアフレームに取付られる止環と、
を有していることを特徴とする請求項17に記載のコンピュータ制御の備蓄・分与器。
【請求項３０】
上記扉の施錠・解錠手段が、
ａ）  上記側板に回転自在に取付けられたブラケットと、
ｂ）  該ブラケットに回転自在に取付けられた引金と、
ｃ）  該引金を上記扉に向けて前方に付勢させているバネと、
ｄ）  上記扉が閉まっている間は上記ボルトに嵌合する開口部を有する上記ブラケットと、
ｅ）  上記扉が閉まっているときは一時的に上記ボルトを保持するように上記ボルトのラッチ先端上に落ちるようにされた上記ブラケットのラッチ板とを備え、
ｆ）  上記引金にかかる引く力が上記ブラケットを回転させ、ラッチ板を上方に持ち上げ、上記ボルトを外してボルトスリーブが付勢により前方に移動させられることで上記扉を開けるようにされている、請求項29に記載のコンピュータ制御の備蓄・分与器。
【発明の詳細な説明】
［発明の分野］
本発明は病院、療養所、その他の環境下で、分与供給の対象となる物品の管理統制が重要な意義を有する場に置かれる施錠可能な備蓄・分与器に関し、薬剤その他の物品を分与するステーションに関する。より具体的には本発明は、従来のステーションに置かれている備蓄・分与器で扱うには不適当な嵩の張る物品を備蓄し分与するための備蓄庫に関する。
［先行技術］
薬品等は、厳格な責任体勢と安全環境下におかれた施錠備蓄庫から逐一分与されるのが慣例であることは周知の事実である。例えば多くの病院や診療所では、米国特許第5014875号に記載のように、薬剤は薬局においた施錠備蓄庫にしまってあり、看護婦等の職員が、施錠した備蓄庫から薬品を分与すると同時に自動的に患者の記録を更新し、そして請求書も発行している。この先行技術は、注射器、薬瓶などの小形の品物を取り扱うものであるが、比較的大形の物品についてはこの種の容器での備蓄が不向きで、また、物品固有の備蓄上の問題があるのが普通である。
各種の液体用大瓶、おむつの大箱、診察用手袋の大箱、包帯の在庫品、カテーテルのセットなどは上記特許のキャビネットから分与されるには大きすぎる。そこで従来では、開放の棚に積み上げられ、埃や塵が積もり、使用のとき要求される清潔さを害するようなものとなっている。保護用のシールに包んで備蓄される場合には、それらは棚上に置かれ、そして他の品物がその上に重ねて置かれたりし、そうした他の品物に尖った部分があったり、重量があったりで、無菌シールは破られ、その結果中身の物品は使われることなく廃棄処分せざるを得ないことになっていた。しかもこうした物品は目立たない色のキャビネットに入れられるなどするため忘られたり、別の品物を探すときに邪魔にされて所定位置からどかされたりしていた。その結果、結局そうした物品は高価なものにつき、在庫管理困難なものとなって、したがってまた管理費にも余分な費用がかかる原因にもなっていた。
さらに、各病院は自分たちが使う分与品に固有の指定番号や在庫番号を付けているが、こうした番号はしばしばそれら物品に付与された名称とは別のものとなるのが実状である。したがって１病院から他の病院へと配転された看護婦など院内技術職員は、紛らわしい１群の在庫番号や識別番号に遭遇し、ある種の品物を余分に注文し、別種の品物を注文し損なうなどの原因ともなっていた。さらに、こうした品物は狭い場所にきちんとしまっておくには大きすぎるため、的確に備蓄しておくことが困難であった。例えばカテーテルセットは長いチューブからできているから、在庫しておくとき捩ったり曲げたりすることは許されない。したがって適切な管理設備や在庫設備がない限り、こうした物品の多くは折り重ねられたり、さまざまに痛め付けられて使用に耐えないようにされるのが常であった。さらに、それら物品を記録に残すことなく使ってしまうことも問題である。というのは患者に正しく請求することを怠ってしまったり、当該品物の補充注文を確実に管理できないという点があるからである。
こうした問題は特に大きな品物を使い損なう結果をもたらしている。というのは無菌状態をいい加減にしたり、使用不足に起因して使用期限を徒過することにもなるからである。これもまた院内管理に出費を強制し、また患者にその加算費用を負担させることにもなっている。
［発明の概要］
本発明は、米国特許第5014875号に記載されているような、一定のステーションに於いて使用される備蓄庫および分与器に関する。本発明は、前面の開放部から手を入れることができるようにされた備蓄・分与室を形成するように一体に組合わされた各板からなる背の高いキャビネットを有している。この前面の開放部は、寸法およびキャビネット前面での取付箇所がさまざまな１枚または２枚以上の扉を介して手を入れることができるようにされている。これら扉は、備蓄される物品が嵩張るものであるときは室内の大きな空間に手を入れることができるように、相互に結合することができるようにされている。これら扉は常時施錠されており、中の品物が入用なときだけ解錠され取り出すことができるようにされている。
室内はさまざまな品物を備蓄する都合に応じて棚を利用してさまざまな大きさの分室に変化させることができる。異なる大きさの品物を保持するさまざまな大きさの分室に使用者が手を入れることができるように、これら扉は相互に結合されている。これら扉はキャビネットの片側だけに蝶番で取り付けられているが、使用者の使い勝手に応じて片側から反対側にも開閉できるように、これら蝶番を取付交換することができるようにされている。これら扉は、管理しながら物品を分与することができるように、小物を分与するには分与器に入力されるべきデータが同一または類似のものでは解錠できないようにされている。また、小さく包装してしまうことができないような、あるいは貯蔵中に過激に折り曲げたり捩れさせたりすることが許されない種類の細長い物品をぶら下げるため、室内に自在掛が設置されている。
さらにこのキャビネットは、耐用年数を延ばすのに冷却保存が要求される特定の薬品や医療品を備蓄するための冷蔵庫を取り外し自在に内包することができるようにされている。キャビネット内には電灯が設置され、これら電灯は分与器と接続されていて、所望の品物を探すとき、ほかの物品をどかしたりする手間を節約することができるように、その品物がある箇所だけを教示する部分照明を行うようにされている。またキャビネットの底部には車が取り付けられていて、使用者の望みに応じてどこにでも容易に移動できるようにされている。１個の分与器には、２個以上のキャビネットを設置することも可能である。非常時用パネルが設けられて、停電時に手操作で扉を解錠しキャビネット内に手を入れることができるようにされている。
したがって本発明の第１の目的は、キャビネット内の仕切られた室が、入力される情報に基づきキャビネットの一定位置が選択的に解錠されるように所定位置にある１枚または２枚以上の扉を選択的に解錠するコンピュータ制御の分与器に接続された相互に結合された１枚または２枚以上の扉を介して手を入れることができるようにし、かつ、所望の品物が貯蔵されている分室のその品物の箇所を照らす電灯が設置されたものを提供することである。本発明のもう一つの目的は、キャビネット前面のいずれの側からでも開閉可能なように容易に変更できる備蓄・分与器を提供すること、および扉の施錠状態を保持しながら容易に折り曲げることができない嵩張る物品を引き出すため室の大部分に手を入れることができるようにされた１枚または２枚以上の扉を相互に結合するように容易に変更できる備蓄・分与器を提供すること、また、使用者が利用できる現場に輻広く対応できるように扉の開閉位置をキャビネットの片側から反対側に変更できる備蓄・分与器を提供することである。
さらに本発明の他の目的は、小物を備蓄し分与するように室を小さい分室に分割する取り外し自在の仕切が設けられた備蓄・分与器、ほかの方法ではきちんと貯蔵できない品物をぶら下げる自在掛であって、棚下または天板直下に取り付けられるもの、冷却貯蔵のための冷蔵庫を内包するものを提供することである。
［図面の説明］
図１は、本発明に係る備蓄・分与器の好ましい実施例で、米国特許第5014875号に記載の型の分与器または薬局に接続して隣接設置されるもので、多数の仕切すなわち棚によって分室に分割されたものを示す。
図２は図１の実施例の斜視図で、拡張された室内の上部にスライド式のハンガーユニットが設けられ、反対側からも開く、そして互いに結合される扉のあるものを示す。
図３は図１の実施例の背部を斜視図で示すもので、分与器に接続されるコンピュータ用ケーブルの「ピグテイル」と、底部の詰め栓を示している。
図４はキャビネットの扉に取り付けられ得るドアキャッチ体の斜視図である。
図５は図４の５−５線におけるドアラッチの部分切断縦断面図である。
図6a,6b,6cは、キャビネットの側壁内面の部分斜視図で、組み付けられた棚のブラケットを示し、棚を前に引いて棚を組み付けた所を示す。
図７は前縁が上方に曲げられた網棚の部分斜視図である。
図８は図７と同様の斜視図で、前縁が下方に曲げられているものを示す。
図９はキャビネットの前面の斜視図で、小箱を引き出し、下方に回転させて取り外す所を示す。
図10は図９の小箱の側面図である。
図11はキャビネットの底部の斜視図で、固着されたキャスタとレベラーとを示す。
図12は手操作で扉を解錠する機構を示すもので、キャビネット前面箇所の一部切断斜視図である。
［好ましい実施例の説明］
以下、図面を参照して説明する。図１において本発明では、天板５と床板７を上下に有し、それらの３縁に、対面して設けられる側板９、11、ならびに背板13を有し、それらが互いに一体に溶接その他の整形手段で各縁側を突き合わせて整形されて、背の高いキャビネット３を構成している。なお以下14の図面において同一部分は同一引用番号を付けて説明する。図示のように板５〜13は前面の開放面17から入ることができる室15を限界付けた格好で、天板５、床板７、側板９、11の各縁により室15を形成している。
図１及び図２に示すように、透明な窓23を囲む一体形成のドアフレーム21から各々なる複数の扉19が、側板11の前端縁27に固定された蝶番25で回転自在に取り付けられ、側板11に穿設されている穴33の内部に設けた施錠／解錠手段31（図５、図９、図12）に受け止められて、ラッチ29（図４）により室15を開閉可能にしている。
図４、図５に示すように、ラッチ29は、円錐形状に先を尖らせたラッチ先端37と、フレーム43をなす壁面41に当接するもう一方の端部の底部39と、を有するボルト35からなる。スリーブ45が、バネ47によってラッチ先端37方向に外方に付勢される状態に、ボルト35に取り付けられ、スリーブ45上に設けた止環49によって限界以上の動きを抑制されている。
図５および図12に示されるように、施錠／解錠手段31は、バネ57によって前方に付勢されている引金55に取り付けられたピン53により回転可能に設けられたブラケット51からなる。ブラケット51には、円錐形状に先が尖ったボルトのラッチ先端37の挿入を受けることができるようにボルト35に合わせて、切込み59が穿設されている。扉19が閉じられると、ボルト35は切込み59内に挿入され、ブラケット51上のラッチ板61が一時的に保持した後、ラッチ先端37の根部回りに形成された溝63中に落し込む。同時にスリーブ45はバネ47の力でフレーム43中に押し戻される。
前述の医療品供給ステーションで、患者は分与器67の上面付近に配置されたキーボード65（図１）に、患者にとって必要な具体的な分与品に関する情報およびその情報の打込者に関する情報を打ち込むと、側板９内に配設されている一定の電気ソレノイド（図示せず）が作動してケーブル69を介して分与器67から電気信号を発信し、引金55を引きラッチ板61を持ち上げスリーブのバネ47をキャビネット３の内部に手を入れることができるように一定の扉19が解錠され、同時に自動的に患者に関する記録および院内在庫記録を更新する。
図１、図２、図７、図８及び図９に示すように、複数の仕切、すなわち網棚71はキャビネットの室15内の細孔75中に間隔を空けて挿入される多数の一対のスライド式取付具73に嵌合して取り付けられ、室15は備蓄される分与品の具体的な大きさに従い同一サイズまたは異なるサイズに分画される。網棚71は、その前縁77を上曲りに曲げられ、品物が積込みや取出しの際に前縁77から滑り落ちることを防止し、あるいは前縁77を下曲りに曲げて下側の棚にある備蓄箱79が室15から滑り落ちることを防止している（図９）。
図７は上曲りに曲げられた前縁のものがどのようにキャビネットから品物を落とさないように使われるかを示し、図９、図10は小箱79の側板82の上方後端部に形成した切込81が下方に曲げられた前縁77と嵌合して小箱79がキャビネットから落ちないようにするかを示している。
各網棚71は１つの上曲りの前縁77と下曲りの前縁77とを互いに間隔を空けて対向するように配列させておくのが好ましい。こうすれば一方から他方へ変更するにはキャビネットの室15からその除外すべき網棚71だけ取り外し、水平面を維持して180度回転させてから再び室15内に戻してやればよい。例えば網棚が前縁を上曲りにしてキャビネット中に置かれたら、下曲りの前縁は後ろ側に位置するのである。
さらに図７および図８に示されるように、網棚71は、分与品の貯蔵および取出しに際して品物の配置をしやすくするように室15からのスライド式取付具73上に内方または外方に動かすことができるような種類にしておくことができる。スライド式取付具73について述べると、好ましい実施例は図6a,図6bに示されるもので、本体83と、本体83から突出し平行な細孔75に受け止められる一対の間隔を開けて設けられた脚85a,85bとからなる。第１の脚85aはキャビネットの側板９または11の内側に取り付けられる上方に曲る上湾部87を有し、第２の脚85bはスライド式取付具73を細孔75a,75b中に挿入するのを補助する傾斜部89を有している。棚保持溝91は脚85a,85bとは反対側の本体83中に網棚71の水平縁を成す下側レール93を支持するように設けられる（図6c,図７、図８）。
内側に形成された溝壁95は、上に品物を陳列するため網棚71が棚保持溝91に沿って引き抜かれたとき後部が上に傾かないように下側レール93の上面を当接させるため、棚保持溝91の下半部より上方に棚保持溝91中に形成される。図6cに示されるように、上下方向にワイヤ97が網棚71の後端に形成されており、普段の使用のときに棚が室15から全体を引き抜かれてしまうことがないように、室15から手前に引出されたとき最後端にあるスライド式取付具73にその側部を当てるようにされている。室15から網棚71を取出して室15内のどこかほかの箇所に移したいときは、上下方向のワイヤ97がスライド式取付具73に突き当たるまで棚71を手前に引出し、側板９（または11）を一時的に外側に歪め（これを「oil canning」という）、網棚71をスライド式取付具73から外し、室15から取出す。次にスライド式取付具73を細孔75から取外し、側板９（または11）の所望位置に再設置し、そこに網棚71を再度取付ける。
図２に示すように、輸血セットやカテーテルユニットのような品物をぶら下げるために網棚71の下側に取付けられ、室15から手前に引出し、そして再び室15内に貯蔵するため戻すことができる引出し可能な自在掛99が複数設けられている。松葉杖、束ねられたティッシュ袋のような背の高い品物は、この上下方向に長い分室中にきちんと貯蔵するようにすることがきる。かなり大きな細長い室を提供するように自在掛99を天板５直下に設けることも可能である。
図２に鎖線で示したものは、低温保存が要求される薬品などの一定の物品を冷却貯蔵するため室15の下部に設置される小型の電気冷蔵庫である。冷蔵庫の外部に取付けられた熱交換器からの暖かくて乾燥した空気は室15内を緩慢に上方移動するから、室15内の備蓄品を比較的低湿度に保持することにもなる。これも室15内に入り込もうとする埃を少なくすることに貢献するもので、貯蔵品が埃で汚れることを防止する。図３に示すように、冷蔵庫101と外部の電源とを接続する導電線は、キャビネットの背板13に穿設された穴102を通って出ることができる。
手段103は、松葉杖とかカテーテルのような長い品物を貯蔵し分与するためのもので、１枚扉にすることによってより大きな分室にすることができるように１枚または２枚以上の扉19を相互結合するものである。図２に示されるように、手段103は好ましくは、１個または２個以上の細長の金具などの帯体105であって、２枚の隣接し合う扉を跨ぐドアフレーム21の裏側107にボルト、ねじ、その他の手段で固定され、それらを相互に結合し、その相互結合した扉は１枚の一体的な扉のように開閉できるものとなる。こうした構成であるから、施錠・解錠手段31は、各扉に設けられた錠前及びソレノイドの１つまたは一部もしくは全部と連動するようにすることができる。施錠・解錠手段31が１個しか使われていないときは、供給庫67内のコンピュータは他の扉の解錠電気ソレノイドを解除して相互に結合された扉を利用することができるようにプログラムされる。各扉につき施錠・解錠手段31が使われているときは、分与器67中のコンピュータは一つ一つの扉の全部が同時に解錠できるようにプログラムされていなければならない。
図２に示すように、細長い品物を貯蔵するための上下に細長い貯蔵分室を提供すると共に、その分室の上または下に比較的小さい品物を貯蔵するための小さい分室を提供することができるように、室15は扉を相互に結合することによって分割することができる。
図１及び図２に示すように、扉19はキャビネット３のいずれの側からも開閉できるようにされている。これは扉19が180度裏返してからキャビネット３の反対側に蝶番を掛けることができるように、蝶番25と施錠・解錠手段31とを完全に交換可能にして扉を天地逆に構成すれば実現することができる。ドアフレーム21は、天地および左右の各々が逆さまにされてもキャビネット３の操作に支障を来さないように完全に同一寸法で作っておかれるのがよい。
具体的に図示しないが、キャビネット３は複数用意し、それらをケーブル69で分与器67にそれぞれ接続して、各キャビネット内に各品物ごとに適切な種々のサイズの分室を備えておくことができる。調節自在な網棚71を使うことによって、また、扉19は片側または反対側から開閉自在にしておくことによって、そしてまた複数の扉を１枚の一体扉に結合する手段103を設けておくことによって、本発明は備蓄品の形状ならびに大きさに幅広く対応することができる。
キャビネット３内には電燈設備が設置される。図１及び図９に示されるように、一連の電燈109が室15内の板５〜13に適宜設けられ中の品物を照明する。使用者に便利なように、分与器67の情報が打ち込まれるキーボード65は解錠すべき適切な扉だけでなく、取出そうとする品物が入った分室の電燈までをも点燈して中を照明するようにプログラムされている。こうした構成は使用者自身による品物を探す労力を省き、医薬品供給庫の使い勝手を高める。また、使用者にとって馴れ親しんでいない在庫品番号その他の識別番号が付けらた品物を探すのを助けるように機能する。
図11に示すように、一対の固定車111と一対のキャスタ113とがキャビネット３の底に取付けられて移動を自在にしている。調節自在なレベラー115も四隅に取付けられていて、キャビネット３が水平に置かれることを補助している。
図12に示すように、非常時用パネル117がキャビネット３の最上部前面に取付けられておて開閉可能な錠前付カバー板118により蓋をされている。このカバー板118が解錠されて持ち上げられると、電子制御回路盤119と非常扉開放機構121を露出させる。後者は分与器67への送電が不能になったり、キーボード65およびこれに接続の箇所に故障があったときに使われるものである。非常扉開放機構121は、スライドさせて嵌合するピン131が設けられている前端縁27中にスライド式に取付けられる細帯127であってキャビネット３の左右の側板９、11のいずれかにまで伸びているものに接続された、非常時用パネル117に穿設された小穴125中のＸ−Ｘ軸に取付けたハンドル123とでなる。細帯127は、施錠・解錠手段31中のブラケット51の内側面に接続されている作動ピン129に嵌合できる開口部を有している。この細帯127は各ブラケット51に固着される作動ピン129周りに穴を設けられている。ハンドル123が下に引かれると、つまり図12に描かれた矢印方向に引かれると、細帯127が上方に引っぱられ、ブラケット51を持ち上げると同時にＹ−Ｙ軸回りに回転させ、個々のラッチ板61が溝63から持ち上げられて各扉を開放させる。スリーブ45に対するバネの付勢は前端縁27に対して外側に迅速に移動し、扉をアーク状に前端縁27から離れる方向に部分的に動かす。
【図４】
0003631752.tif 000002
【図５】
0003631752.tif 000003
【図６ｃ】
0003631752.tif 000004
【図１】
0003631752.tif 000005
【図２】
0003631752.tif 000006
【図３】
0003631752.tif 000007
【図６ａ】
0003631752.tif 000008
【図６ｂ】
0003631752.tif 000009
【図７】
0003631752.tif 000010
【図１０】
0003631752.tif 000011
【図８】
0003631752.tif 000012
【図９】
0003631752.tif 000013
【図１１】
0003631752.tif 000014
【図１２】
0003631752.tif 000015